(57)【要約】      （修正有）【課題】構造が簡単で、操作が便利で、且つ設計が合理的な温灸器を提供する。【解決手段】温灸器瓶体ともぐさ製品の位置決めブラケットを含み、温灸器瓶体に通気穴が設置され、温灸器瓶体が内外に設置されている内部瓶体１−１と外部瓶体１−２を含み、内部瓶体１−１と外部瓶体１−２の内部キャビテが互いに隔離され、モグサ製品の位置決めブラケットが位置決め棒２−１及び締付部品２−２を含み、内部瓶体１−１に固定されていて、内部瓶体１−１と外部瓶体１−２の間に断熱キャビテ１−４がある。【選択図】図２
0003223664.tif 000002
【実用新案登録請求の範囲】
【請求項１】
温灸器瓶体ともぐさ製品の位置決めブラケットを含み、 温灸器瓶体に通気穴が設置され
、温灸器瓶体が内外に設置されている内瓶体と外瓶体を含み、内部瓶体と外部瓶体の内部
キャビテが互いに隔離され、モグサ製品の位置決めブラケットが、内部瓶体に固定されて
いて、内部瓶体と外部瓶体の間に断熱キャビテがあることを特徴とする温灸器。
【請求項２】
外部瓶体の頂部に、モグサスティックの挿入口が設置されていて、モグサスティックの挿
入口が断熱キャビテと通じ合っていることを特徴とする請求項1に記載の温灸器。
【請求項３】
内部瓶体と外部瓶体の瓶口が相互接続して一体になり、通気穴が瓶口の側部に設置され、
内瓶体の内部キャビテに接続していることを特徴とする請求項1に記載の温灸器。
【請求項４】
モグサ製品の位置決めブラケットが位置決め棒及び位置決め棒と相応する締付部品を含み
、位置決め棒が、締付部品を通じて内部瓶体の頂部に固定されることを特徴とする請求項
1に記載の温灸器。
【請求項５】
外部瓶体のモグサスティックの挿入口が位置決め棒の上側に設置されていて、スクリュー
・ドライバーの進入を格納でき、これで位置決め棒を固定できることを特徴とする請求項
4に記載の温灸器。
【請求項６】
前記位置決め棒が縦方向で設置され、瓶体の頂部から下へ伸びることを特徴とする請求項
4に記載の温灸器。
【請求項７】
前記内部瓶体と外部瓶体が一体成形されるセラミックス製品であることを特徴とする請求
項1に記載の温灸器。
【請求項８】
前記温灸器瓶体の瓶口が外へ折り返して、手持ち位置を形成することを特徴とする請求項
1に記載の温灸器。
【考案の詳細な説明】
【技術分野】
【０００１】
本実用新案は、漢方医学針灸用具技術分野に関わり、特に一種の温灸器に関わる。
【背景技術】
【０００２】
温灸器療法は、灸法と称され、モグサ又はその他の薬物を使って体表のツボを焼灼して
暖かめ、モグサの火の熱力と薬物の作用を借り、且つ、経絡の伝導を通じて、気血を温め
て疎通すると同時に、病いに対する抵抗力を高め、病気の元を取り除くことによって、疾
病の防除を実現する治療法である。現在、よく使う温灸器は、主にポータブル式と固定式
温灸筒という二種に分けられる。通常の状況の下で、固定式温灸筒は、 包帯又はセロハ
ンテープで温灸筒を固定するので、治療プロセス中において、構造が複雑で、操作の位置
決めが不便である。ポータブル式温灸筒は、医療スタッフが長時間で手持操作を行う必要
があるので、モグサ製品の燃焼プロセス中に温灸筒側面壁が熱くなり易くて 医療スタッ
フに熱傷を齎し易い。更に、大量な排煙ガスを生じ、排煙ガスが直接に外へ拡散し、ユー
ザの流涙とくしゃみ等問題を齎しやすい。
【考案の概要】
【０００３】
本実用新案の目的は、現有技術の不足点を解決し、構造が簡単で、操作が便利で、且つ、
設計が合理的な一種の温灸器を提供することである。
【０００４】
本実用新案は、下記の技術ソリューションを通じて、前記目的を実現する。
【０００５】
温灸器瓶体ともぐさ製品の位置決めブラケットを含み、温灸器瓶体に通気穴が設置され、
温灸器瓶体が内外に設置されている内瓶体と外瓶体を含み、内部瓶体と外部瓶体の内部
キャビテが互いに隔離され、モグサ製品の位置決めブラケットが、内部瓶体に固定されて
いて、内部瓶体と外部瓶体の間に断熱キャビテがあることを特徴とする温灸器。
【０００６】
前記ソリューションのさらなる説明として、外部瓶体の頂部に、モグサスティックの挿入
口が設置されていて、内部モグサスティックの挿入口が断熱キャビテと通じ合っている。
【０００７】
さらに、内部瓶体と外部瓶体の瓶口が相互接続して一体になり、通気穴が瓶口の側部に設
置され、内瓶体の内部キャビテに接続することによって、内部瓶体内でガスの開通性を保
持すると同時に、モグサ製品を一層十分に燃やすことができる。
【０００８】
さらに、モグサ製品の位置決めブラケットが位置決め棒及び位置決め棒と相応する締付部
品を含み、位置決め棒が、締付部品を通じて内部瓶体の頂部に固定される。
【０００９】
さらに、外部瓶体のモグサスティックの挿入口が位置決め棒の上側に設置されていて、ス
クリュー・ドライバーの進入を格納でき、これで位置決め棒を固定できる。
【００１０】
さらに、前記位置決め棒が縦方向で設置され、瓶体の頂部から下へ伸びる。さらに、前記
内部瓶体と外部瓶体が一体成形されるセラミックス製品である。
【００１１】
さらに、前記温灸器瓶体の瓶口が外へ折り返して、手持ち位置を形成することによって、
温灸器瓶体を、刮?と拔筋等の面に応用できるようにする。
【００１２】
本実用新案は、前記の技術ソリューションを通じて、下記の有益な効果を達成できる。
1、本実用新案は、主に温灸器瓶体とモグサ製品の位置決めブラケットから構成される構
造を採用し、温灸器瓶体に通気穴が設置され、温灸器瓶体が内外に設置されている内瓶体
と外瓶体を含み、内部瓶体と外部瓶体の内部キャビテが互いに隔離され、モグサ製品の位
置決めブラケットが、内部瓶体に固定されていて、内部瓶体と外部瓶体の間に断熱キャビ
テが設置されることによって、モグサ製品燃焼時発生する排煙ガスが直接に上へ拡散せず
、ユーザにせき込まなくなる。
2、本実用新案において、外部瓶体の頂部に、モグサスティックの挿入口が設置されてい
て、内部モグサスティックの挿入口が断熱キャビテと通じ合っていることによって、温灸
器が、モグサ・コーンだけでなく、モグサスティックを固定して燃やすこともできるので
、適用範囲がより広くなる。
【図面の簡単な説明】
【００１３】
【図１】図1は、本実用新案の構造模式図である。
【図２】図2は、本実用新案の断面図である。添付図の記号説明：1、温灸器瓶体 1-1、内部瓶体  1-2、外部瓶体  1-3、手持ち位置 1-4、断熱キャビテ  1-5、モグサスティックの挿入口  2、モグサ製品の位置決めブラケット  2-1、位置決め棒 2-2、 締付部品 3、通気穴
【考案を実施するための形態】
【００１４】
これから具体的な実施形態と結びついて、本技術案を詳細に説明する。
【００１５】
図 1-図 2 で示すように、本実用新案は、一種の温灸器に関わり、本医療機器が、温灸器
瓶体1とモグサ製品の位置決めブラケット 2を含み、温灸器瓶体に通気穴3が設置され、温
灸器瓶体が内外に設置されている内部瓶体1-1 と外部瓶体1-2を含み、内部瓶体と外部瓶
体の内部キャビテが互いに隔離され、本実施形態において、内部瓶体と外部瓶体が一体成
形されるセラミックス製品であり、温灸器瓶体の瓶口が外へ折り返し、 手持ち位置1-3を
形成することによって、温灸器瓶体を、刮?と拔筋等の面に応用できるようになる。モグ
サ製品の位置決めブラケットが、内部瓶体に固定されていて、内部瓶体と外部瓶体の間に
断熱キャビテ1-4が設置され、外部瓶体の頂部に、モグサスティックの挿入口1-5が設置さ
れていて、且つ、内部モグサスティックの挿入口が断熱キャビテと通じ合っている。
【００１６】
さらに、内部瓶体と外部瓶体の瓶口が相互接続して一体になり、通気穴が瓶口の側部に設
置され、内瓶体の内部キャビテに接続することによって、内部瓶体内でガスの開通性を保
持すると同時に、モグサ製品を一層十分に燃やすことができる。モグサ製品の位置決めブ
ラケット 2 が位置決め棒2-1 及び位置決め棒と相応する締付部品 2-2を含み、位置決め
棒が、締付部品を通じて内部瓶体の頂部に固定される。外部瓶体のモグサスティックの挿
入口が位置決め棒の上側に設置されていて、スクリュー・ドライバーの進入を格納でき、
これで位置決め棒を固定できる。位置決め棒が縦方向で設置され、瓶体の頂部から下へ伸
びる。
【００１７】
本実用新案は、既存の技術と比べて、主に温灸器瓶体とモグサ製品の位置決めブラケット
から構成される構造を採用し、温灸器瓶体に通気穴が設置され、温灸器瓶体が内外に設置
されている内瓶体と外瓶体を含み、内部瓶体と外部瓶体の内部キャビテが互いに隔離され
、モグサ製品の位置決めブラケットが、内部瓶体に固定されていて、内部瓶体と外部瓶体
の間に断熱キャビテが設置されることによって、モグサ製品燃焼時発生する排煙ガスが直
接に上へ拡散せず、ユーザにせき込まなくなる。外部瓶体の頂部に、モグサスティックの
挿入口が設置されていて、内部モグサスティックの挿入口が断熱キャビテと通じ合ってい
ることによって、温灸器が、モグサ・コーンだけでなく、モグサスティックを固定して燃
やすこともできるので、適用範囲がより広くなる。
【００１８】
前記述べたものは、本実用新案の好ましい実施形態だけであり、指摘すべきなこととして
は、本分野における普通の技術者にとって、本実用新案の創造構想から逸脱しない前提の
下で、若干の変形及び改善を行っても良い。これらは、皆本実用新案の保護範囲に属する
。
【図１】
0003223664.tif 000003
【図２】
0003223664.tif 000004